(57)【要約】【課題】ビーコン信号の受信時に、無線通信の通信状態にかかわらず、必要なコンテンツを出力する。【解決手段】ビーコン装置は、ビーコン信号を識別する識別情報を含むビーコン信号を発信する。端末装置は、位置情報に対応するコンテンツの配信をサーバに要求する。サーバは、端末装置からの要求に応じて位置情報に対応するコンテンツを配信する。端末装置は、サーバから配信されたコンテンツを識別情報に対応して記憶部に記憶する。その後、端末装置は、ビーコン信号を受信して識別情報を取得すると、記憶部に記憶したコンテンツのうちその識別情報に対応するコンテンツを出力する。【選択図】図１
2017028380.tif 000002
【特許請求の範囲】
【請求項１】
ビーコン信号を識別する識別情報を含む前記ビーコン信号を発信するビーコン装置と、
前記ビーコン信号を受信可能な端末装置と、
前記端末装置に配信するコンテンツを管理するサーバと
を具備する無線通信システムであって、
前記端末装置は、
位置情報を取得する位置情報取得部と、
前記位置情報に対応するコンテンツの配信を前記サーバに要求するサーバ通信部と、
前記サーバから配信された前記コンテンツを前記識別情報に対応して記憶する記憶部と、
前記ビーコン信号を受信して前記識別情報を取得するビーコン受信部と、
前記記憶部に記憶した前記コンテンツのうち前記取得した前記識別情報に対応する前記コンテンツを出力する出力部と
を備え、
前記サーバは、前記端末装置からの要求に応じて前記位置情報に対応する前記コンテンツを配信する
無線通信システム。
【請求項２】
前記位置情報取得部は、当該端末装置の位置座標を示すＧＰＳ情報を前記位置情報として取得する
請求項１記載の無線通信システム。
【請求項３】
前記ビーコン受信部は、前記受信したビーコン信号に含まれる前記識別情報を、所定の位置に関連付けられた位置識別情報と前記コンテンツに対応するコンテンツ識別情報との何れかに判別し、
前記位置情報取得部は、前記位置情報として前記位置識別情報を取得する
請求項１記載の無線通信システム。
【請求項４】
前記ビーコン装置は、前記位置識別情報を含む前記ビーコン信号を送信する第１のビーコン装置と、前記コンテンツ識別情報を含む前記ビーコン信号を送信する第２のビーコン装置との何れかである
請求項３記載の無線通信システム。
【請求項５】
前記ビーコン装置は、前記位置識別情報を含む前記ビーコン信号を送信するとともに、所定の入力を受けた場合に前記コンテンツ識別情報を含む前記ビーコン信号を送信する
請求項３記載の無線通信システム。
【請求項６】
前記記憶部は、前記出力部が出力する言語を指定する言語指定情報をさらに記憶し、
前記サーバ通信部は、前記位置情報に対応する前記コンテンツのうち前記言語指定情報に対応する言語のコンテンツの配信を前記サーバに要求する
請求項１から５のいずれかに記載の無線通信システム。
【請求項７】
前記サーバは、前記要求における前記言語指定情報に対応する言語のコンテンツを他の言語のコンテンツから翻訳して配信する
請求項６記載の無線通信システム。
【請求項８】
位置情報を取得する位置情報取得部と、
前記位置情報に対応するコンテンツの配信をサーバに要求するサーバ通信部と、
前記サーバから配信された前記コンテンツを記憶する記憶部と、
ビーコン装置から受信したビーコン信号に含まれる識別情報を取得するビーコン受信部と、
前記記憶部に記憶した前記コンテンツのうち前記取得した前記識別情報に対応する前記コンテンツを出力する出力部と
を備える端末装置。
【請求項９】
前記位置情報取得部は、当該端末装置の位置座標を示すＧＰＳ情報を前記位置情報として取得する
請求項８記載の端末装置。
【請求項１０】
前記ビーコン受信部は、前記受信したビーコン信号に含まれる前記識別情報を、所定の位置に関連付けられた位置識別情報と前記コンテンツに対応するコンテンツ識別情報との何れかに判別し、
前記位置情報取得部は、前記位置情報として前記位置識別情報を取得する
請求項８記載の端末装置。
【請求項１１】
前記記憶部は、前記出力部が出力する言語を指定する言語指定情報をさらに記憶し、
前記サーバ通信部は、前記位置情報に対応する前記コンテンツのうち前記言語指定情報に対応する言語のコンテンツの配信を前記サーバに要求する
請求項８から１０のいずれかに記載の端末装置。
【請求項１２】
前記記憶部は、前記出力部が出力する言語を指定する言語指定情報をさらに記憶し、
前記サーバ通信部は、前記位置情報に対応する前記コンテンツを前記言語指定情報に対応する言語に翻訳して配信するよう前記サーバに要求する
請求項８から１０のいずれかに記載の端末装置。
【請求項１３】
端末装置におけるコンテンツ出力方法であって、
前記端末装置の位置情報を取得する手順と、
前記端末装置が、前記位置情報に対応するコンテンツの配信をサーバに要求する手順と、
前記端末装置が、前記サーバから配信された前記コンテンツを記憶する手順と、
前記端末装置が、ビーコン装置からのビーコン信号を受信して、そのビーコン信号に含まれる識別情報を取得する手順と、
前記端末装置が、前記記憶部に記憶した前記コンテンツのうち前記取得した前記識別情報に対応する前記コンテンツを出力する手順と
を備えるコンテンツ出力方法。
【請求項１４】
端末装置において実行されるコンピュータプログラムであって、
前記端末装置の位置情報を取得する手順と、
前記端末装置が、前記位置情報に対応するコンテンツの配信をサーバに要求する手順と、
前記端末装置が、前記サーバから配信された前記コンテンツを記憶する手順と、
前記端末装置が、ビーコン装置からのビーコン信号を受信して、そのビーコン信号に含まれる識別情報を取得する手順と、
前記端末装置が、前記記憶部に記憶した前記コンテンツのうち前記取得した前記識別情報に対応する前記コンテンツを出力する手順と
を前記端末装置に実行させるコンピュータプログラム。
【発明の詳細な説明】
【技術分野】
【０００１】
本発明は、無線通信システムに関し、特に、ビーコン信号を受信して対応するコンテンツを出力する端末装置、無線通信システム、および、これらにおける処理方法ならびに当該方法をコンピュータに実行させるプログラムに関する。
【背景技術】
【０００２】
近年、スーパーマーケット等の店舗や展示会場等においてビーコン信号を利用して情報提示等の処理を行うシステムが利用されるようになっている。例えば、購買者側装置が販売店に近づいたことをビーコン信号により検出して、販売者側装置と購買者側装置との間の通信を開始し、商品宣伝などを行うデータ通信システムが提案されている（例えば、特許文献１参照。）。
【先行技術文献】
【特許文献】
【０００３】
【特許文献１】特開２０００−１３４１４７号公報
【発明の概要】
【発明が解決しようとする課題】
【０００４】
上述の従来技術では、ビーコン信号を受信したことを契機として、受信側の装置が無線により公衆電話回線と通信し、公衆電話回線を介して販売者側装置からデータを受信している。しかしながら、このようなシステムは受信側の装置が公衆電話回線と無線通信できない状況においては利用することはできない。また、公衆電話回線との間の無線通信の状態が悪い場合には、データの受信に要する時間が長くなり、利便性を損なうおそれがある。特に、建物の内部や地下道などにおいてそのおそれが顕著となる。
【０００５】
本発明はこのような状況に鑑みて生み出されたものであり、ビーコン信号の受信時に、無線通信の通信状態にかかわらず、必要なコンテンツ（データ）を出力することを目的とする。
【課題を解決するための手段】
【０００６】
本発明は、上述の問題点を解消するためになされたものであり、その第１の側面は、ビーコン信号を識別する識別情報を含む上記ビーコン信号を発信するビーコン装置と、上記ビーコン信号を受信可能な端末装置と、上記端末装置に配信するコンテンツを管理するサーバとを具備する無線通信システムであって、上記端末装置は、位置情報を取得する位置情報取得部と、上記位置情報に対応するコンテンツの配信を上記サーバに要求するサーバ通信部と、上記サーバから配信された上記コンテンツを上記識別情報に対応して記憶する記憶部と、上記ビーコン信号を受信して上記識別情報を取得するビーコン受信部と、上記記憶部に記憶した上記コンテンツのうち上記取得した上記識別情報に対応する上記コンテンツを出力する出力部とを備え、上記サーバは、上記端末装置からの要求に応じて上記位置情報に対応する上記コンテンツを配信する無線通信システムである。これにより、位置情報に対応してサーバから配信されたコンテンツを端末装置に予め記憶しておくことにより、識別情報を含むビーコン信号を端末装置が受信した際に、無線通信の通信状態にかかわらず、識別情報に対応するコンテンツを端末装置の出力部に出力するという作用をもたらす。
【０００７】
また、本発明の第２の側面は、位置情報を取得する位置情報取得部と、上記位置情報に対応するコンテンツの配信をサーバに要求するサーバ通信部と、上記サーバから配信された上記コンテンツを記憶する記憶部と、ビーコン装置から受信したビーコン信号に含まれる識別情報を取得するビーコン受信部と、上記記憶部に記憶した上記コンテンツのうち上記取得した上記識別情報に対応する上記コンテンツを出力する出力部とを備える端末装置、そのコンテンツ出力方法およびそのコンピュータプログラムである。これにより、位置情報に対応して配信されたコンテンツを予め記憶しておくことにより、識別情報を含むビーコン信号を受信した際に、無線通信の通信状態にかかわらず、識別情報に対応するコンテンツを出力するという作用をもたらす。
【発明の効果】
【０００８】
本発明によれば、ビーコン信号の受信時に、無線通信の通信状態にかかわらず、必要なコンテンツを出力することができるという優れた効果を奏し得る。
【図面の簡単な説明】
【０００９】
【図１】本発明の実施の形態における無線通信システムの全体構成の一例を示す図である。
【図２】本発明の第１の実施の形態における無線通信システムの全体構成の一例を示す図である。
【図３】本発明の第１の実施の形態におけるコンテンツ管理テーブル３２０の構成例を示す図である。
【図４】本発明の第１の実施の形態における識別情報テーブル２２１の構成例を示す図である。
【図５】本発明の第１の実施の形態における識別情報テーブル２２１の構成例を示す図である。
【図６】本発明の第１の実施の形態における無線通信システムの一連の処理例を示すシーケンス図である。
【図７】本発明の第２の実施の形態における無線通信システムの全体構成の一例を示す図である。
【図８】本発明の第２の実施の形態におけるコンテンツ管理テーブル３２０の構成例を示す図である。
【図９】本発明の第２の実施の形態における識別情報テーブル２２１の構成例を示す図である。
【図１０】本発明の第２の実施の形態の端末装置２００における処理手順例を示す流れ図である。
【図１１】本発明の第２の実施の形態におけるビーコン装置の第１の例を示す図である。
【図１２】本発明の第２の実施の形態におけるビーコン装置の第１の配置例を示す図である。
【図１３】本発明の第２の実施の形態におけるビーコン装置の第１の例を用いた場合のシーケンス図である。
【図１４】本発明の第２の実施の形態におけるビーコン装置の第２の例を示す図である。
【図１５】本発明の第２の実施の形態におけるビーコン装置の第２の配置例を示す図である。
【図１６】本発明の第２の実施の形態におけるビーコン装置の第２の例を用いた場合のシーケンス図である。
【図１７】本発明の第３の実施の形態における無線通信システムの全体構成の一例を示す図である。
【図１８】本発明の第３の実施の形態におけるコンテンツ管理テーブル３２０の構成例を示す図である。
【図１９】本発明の第３の実施の形態における識別情報テーブル２２１の構成例を示す図である。
【図２０】本発明の第３の実施の形態における識別情報テーブル２２１の構成例を示す図である。
【発明を実施するための形態】
【００１０】
以下、本発明を実施するための形態（以下、実施の形態と称する）について説明する。
【００１１】
図１は、本発明の実施の形態における無線通信システムの全体構成の一例を示す図である。この例では、以下に示す各実施の形態の各々に共通する構成を示している。
【００１２】
この無線通信システムは、ビーコン装置１００と、端末装置２００と、サーバ３００とを備える。なお、ここでは、１台のビーコン装置１００および１台の端末装置２００を示しているが、それぞれ複数台備えるようにしてもよい。
【００１３】
ビーコン装置１００は、所定の期間毎に、間欠的にビーコン信号を無線送信により発信するものである。ビーコン装置１００は、ビーコン信号を識別するための識別情報を保持しており、ビーコン信号には識別情報を含めて発信する。
【００１４】
ビーコン装置１００からビーコン信号を発信する際の無線通信の規格として、例えば、近距離無線通信のために超低消費電力に最適化された「Ｂｌｕｅｔｏｏｔｈ（登録商標）  Ｌｏｗ  Ｅｎｅｒｇｙ」（以下、「ＢＬＥ」と略す。）が想定される。なお、端末装置２００に無線送信することができるのであれば、Ｗｉ−Ｆｉ（登録商標）規格など、別の通信規格によりビーコン信号を無線送信してもよい。
【００１５】
端末装置２００は、ユーザ（例えば顧客など）が携帯する端末である。この端末装置２００としては、例えば、携帯端末やタブレット型パーソナルコンピュータなどが挙げられる。この端末装置２００は、ビーコン装置１００から発信されるビーコン信号を受信して、そのビーコン信号に含まれる識別情報を取得する。この端末装置２００は、記憶部２２０と、位置情報取得部２３０と、出力部２４０と、ビーコン受信部２５０と、サーバ通信部２６０とを備える。これらは、バス２９０により相互に接続される。
【００１６】
記憶部２２０は、端末装置２００の処理に必要なデータを記憶するメモリである。具体的には、この記憶部２２０は、受信したコンテンツ２２２、および、識別情報とコンテンツとの関係を保持する識別情報テーブル２２１などを記憶する。
【００１７】
位置情報取得部２３０は、端末装置２００の存在位置を示す位置情報を取得するものである。この位置情報取得部２３０が位置情報を取得するための手段については、各実施の形態の説明において詳説するが、例えば、ＧＰＳ（Global Positioning System）信号に基づいて取得する手段や、ビーコン装置１００から受信した識別情報に基づいて取得する手段などが想定される。
【００１８】
出力部２４０は、サーバ３００から配信されたコンテンツを出力するものである。出力部２４０は、ユーザに対して情報を出力するためのものである。この出力部２４０としては、例えば、タッチパネルの表示部が想定される。この場合、タッチパネルは、出力部２４０だけでなく、ユーザからの入力を受け付ける入力部を兼ねるようにしてもよい。
【００１９】
ビーコン受信部２５０は、ビーコン装置１００からビーコン信号を受信するものである。端末装置２００がビーコン装置１００の通信範囲に入ると、発信されたビーコン信号をビーコン受信部２５０が受信する。
【００２０】
サーバ通信部２６０は、サーバ３００との間の通信を行うものである。このサーバ通信部２６０は、サーバ３００に位置情報を送信して、その位置情報に対応するコンテンツの配信をサーバ３００に要求する。このサーバ通信部２６０とサーバ３００との間では、無線通信によるネットワークが用いられる。ネットワークにはアクセスポイントが接続されており、端末装置２００のサーバ通信部２６０と通信を行う。サーバ通信部２６０とアクセスポイントとの間では、例えば、移動体通信（例えば、３Ｇ）や、Ｗｉ−Ｆｉ（登録商標）規格などによる無線ＬＡＮなどを利用した通信を行うことが想定される。したがって、アクセスポイントには、携帯電話等の移動体通信における基地局や、Ｗｉ−Ｆｉ（登録商標）通信のための通信インターフェースを含む。
【００２１】
サーバ３００は、端末装置２００に配信するコンテンツ３１０を記憶し、管理するものである。このサーバ３００は、コンテンツ３１０を管理するためのコンテンツ管理テーブル３２０を備える。このコンテンツ管理テーブル３２０の内容については、各実施の形態の説明において詳説する。
【００２２】
この無線通信システムにおいて、端末装置２００は、特定の場所に存在する場合に、その位置情報をサーバ３００に送信して、その位置情報に対応するコンテンツをサーバ３００から受信する。すなわち、端末装置２００は、ビーコン装置１００から特定の識別情報を受信する前に、必要なコンテンツの配信をサーバ３００から受けて記憶部２２０のコンテンツ２２２に記憶しておく。その後、ビーコン装置１００から特定の識別情報を受信すると、端末装置２００は、記憶部２２０に記憶していたコンテンツ２２２を読み出して出力部２４０に出力する。
【００２３】
すなわち、この実施の形態では、端末装置２００は、サーバ３００と正常に通信可能な状態（場所）において、予めコンテンツをダウンロードしておき、その後、ビーコン信号を受信した際に、端末装置２００内にダウンロードしていたコンテンツ２２２を読み出すようにする。これにより、サーバ３００との通信が不可能な状態でもビーコン信号を活用でき、また、ビーコン信号を受信した時のサーバ３００との通信状況に起因するレスポンスの遅延も生じない。このように、この実施の形態では、無線通信の通信状態にかかわらず、ビーコン信号の受信時に、必要なコンテンツを出力することができる。
【００２４】
＜第１の実施の形態＞
図２は、本発明の第１の実施の形態における無線通信システムの全体構成の一例を示す図である。この第１の実施の形態における無線通信システムは、基本的には図１により説明した構成例と同様である。この第１の実施の形態では、位置情報取得部２３０によって位置情報を取得する際に、ＧＰＳ情報を利用する。そのために、この第１の実施の形態における無線通信システムは、ＧＰＳ衛星５００の利用を想定する。
【００２５】
ＧＰＳ衛星５００は、ＧＰＳ信号を送信する人工衛星である。このＧＰＳ信号には、時間情報および軌道情報が含まれており、これらに基づいて、緯度および経度を知ることができる。このＧＰＳ信号により得られる緯度および経度からなる位置情報を、特にＧＰＳ情報と称する。
【００２６】
この第１の実施の形態における位置情報取得部２３０は、位置情報としてＧＰＳ情報を利用する。すなわち、ＧＰＳによる測位によって取得した端末装置２００の位置情報に応じて、特定の場所に存在するか否かを判定する。サーバ３００は、位置座標（北緯や東経）にコンテンツが関連付けられており、端末装置２００の位置情報がいずれかのコンテンツに関連付けられた位置座標内である場合に、その対応するコンテンツを端末装置２００に配信する。
【００２７】
図３は、本発明の第１の実施の形態におけるコンテンツ管理テーブル３２０の構成例を示す図である。このコンテンツ管理テーブル３２０は、位置情報（ＧＰＳ情報）に対応して、サーバ３００から配信すべきコンテンツの情報を示している。
【００２８】
例えば、端末装置２００から送信された位置情報が「北緯Ｎ１〜Ｎ２」の範囲内にあり、かつ、「東経Ｅ１〜Ｅ２」の範囲内にある場合には、サーバ３００は「Ｘデパートの緊急避難情報」のコンテンツを端末装置２００に配信する。また、端末装置２００から送信された位置情報が「北緯Ｎ３〜Ｎ４」の範囲内にあり、かつ、「東経Ｅ３〜Ｅ４」の範囲内にある場合には、「Ｙホテルの火災時避難情報」および「Ｙホテルの地震時避難情報」など複数のコンテンツをまとめて端末装置２００に配信する。
【００２９】
このコンテンツ管理テーブル３２０におけるコンテンツの情報は、コンテンツの格納場所を示すポインタや、各コンテンツの識別のために別途付したインデックスなど、なんらかの形式によってコンテンツを指定できる情報であれば、どのようなものであってもよい。以下の実施の形態においても同様である。
【００３０】
図４は、本発明の第１の実施の形態における識別情報テーブル２２１の構成例を示す図である。この識別情報テーブル２２１は、ビーコン装置１００から受信した識別情報に対応して、出力部２４０から出力すべきコンテンツの情報を示している。
【００３１】
例えば、ビーコン装置１００から受信した識別情報が「Ｂ００１」である場合には、「Ｘデパートの緊急避難情報」を出力部２４０から出力する。また、ビーコン装置１００から受信した識別情報が「Ｃ００１」である場合には、「Ｙホテルの火災時避難情報」を出力部２４０から出力する。また、ビーコン装置１００から受信した識別情報が「Ｃ００２」である場合には、「Ｙホテルの地震時避難情報」を出力部２４０から出力する。
【００３２】
端末装置２００は、サーバ３００からコンテンツをダウンロード（受信）した際に、その受信したコンテンツと、そのコンテンツの出力のトリガとなる識別情報とを関連付けて識別情報テーブル２２１に追記していく。
【００３３】
この識別情報テーブル２２１におけるコンテンツの情報は、コンテンツの格納場所を示すポインタや、各コンテンツの識別のために別途付したインデックスなど、なんらかの形式によってコンテンツを指定できる情報であれば、どのようなものであってもよい。以下の実施の形態においても同様である。
【００３４】
図５は、本発明の第１の実施の形態の端末装置２００における処理手順例を示す流れ図である。
【００３５】
端末装置２００は、ＧＰＳ衛星５００からのＧＰＳ情報を位置情報として取得して、現在の存在位置を測位する（ステップＳ９１１）。そして、その位置情報をサーバ３００に送信して、その位置情報に対応するコンテンツの配信を要求する。その結果、その位置情報に対応するコンテンツが存在しない等の理由によりコンテンツを受信できなかった場合には（ステップＳ９１２：Ｎｏ）、再び位置情報を取得する（ステップＳ９１１）。
【００３６】
サーバ３００からコンテンツを受信すると（ステップＳ９１２：Ｙｅｓ）、その受信したコンテンツを記憶部２２０のコンテンツ２２２に格納するとともに、そのコンテンツの出力のトリガとなる識別情報と関連付けて識別情報テーブル２２１に追記する（ステップＳ９１３）。
【００３７】
端末装置２００は、ビーコン装置１００から識別情報を含むビーコン信号を受信するまで待機する（ステップＳ９１４：Ｎｏ）。端末装置２００は、ビーコン装置１００から識別情報を含むビーコン信号を受信すると（ステップＳ９１４：Ｙｅｓ）、識別情報テーブル２２１を参照して、その識別情報に対応するコンテンツを調べる（ステップＳ９１５）。識別情報テーブル２２１に対応するコンテンツが存在しない場合には（ステップＳ９１６：Ｎｏ）、その識別情報については何も処理は行われない。この場合、端末装置２００は、ビーコン装置１００から識別情報を含むビーコン信号を受信するまで再び待機する（ステップＳ９１４）。
【００３８】
識別情報テーブル２２１に対応するコンテンツが存在する場合（ステップＳ９１６：Ｙｅｓ）、端末装置２００は、そのコンテンツを出力部２４０に出力する（ステップＳ９１７）。そして、再び位置情報の取得態勢に戻る（ステップＳ９１１）。
【００３９】
なお、ビーコン装置１００のビーコン信号の送信の頻度によっては、端末装置２００は、同一の識別情報を含むビーコン信号を何度も受信する場合があるが、端末装置２００は、必ずしも受信の都度、同じ処理を行わなくてもよい。例えば、既に受信した識別情報であって処理がされているものについては、端末装置２００は、処理後しばらくの間、新たな処理を行わないようにしてもよい。
【００４０】
図６は、本発明の第１の実施の形態における無線通信システムの一連の処理例を示すシーケンス図である。
【００４１】
端末装置２００は、ＧＰＳ衛星５００からのＧＰＳ情報を位置情報として取得して、現在の存在位置を測位する（ステップＳ８１２）。そして、その位置情報をサーバ３００に送信して、その位置情報に対応するコンテンツの配信を要求する（ステップＳ８１３）。
【００４２】
サーバ３００は、コンテンツ管理テーブル３２０を参照して、端末装置２００から受信した位置情報に対応するコンテンツをコンテンツ３１０から読み出して、そのコンテンツを端末装置２００に配信する（ステップＳ８１５）。
【００４３】
端末装置２００は、サーバ３００からコンテンツを受信すると、その受信したコンテンツを記憶部２２０のコンテンツ２２２に格納するとともに、そのコンテンツの出力のトリガとなる識別情報と関連付けて識別情報テーブル２２１に追記する（ステップＳ８１６）。
【００４４】
ビーコン装置１００は、識別情報を含むビーコン信号を間欠的に発信する（ステップＳ８１７）。端末装置２００が、ビーコン信号の受信領域内に入ってビーコン信号を受信すると、識別情報テーブル２２１を参照して、その識別情報に対応するコンテンツを出力部２４０に出力する（ステップＳ８１９）。
【００４５】
本発明の第１の実施の形態では、端末装置２００はＧＰＳ情報に基づいて位置情報を取得して、その位置情報に対応するコンテンツを予めサーバ３００からダウンロードして記憶しておく。その後、端末装置２００がビーコン信号を受信すると、ビーコン信号に含まれる識別情報に対応するコンテンツを出力する。このように、本発明の第１の実施の形態では、ビーコン信号の受信時に出力すべきコンテンツを予めサーバ３００からダウンロードしておくことにより、無線通信の通信状態にかかわらず必要なコンテンツを出力することができる。
【００４６】
＜第２の実施の形態＞
図７は、本発明の第２の実施の形態における無線通信システムの全体構成の一例を示す図である。この第２の実施の形態における無線通信システムは、基本的には図１により説明した構成例と同様である。
【００４７】
この第２の実施の形態では、ビーコン装置１００が、それぞれ異なる２種類の識別情報（位置識別情報およびコンテンツ識別情報）の何れか一方を含むビーコン信号を別々に発信する。端末装置２００は、位置識別情報を受信すると、その位置識別情報をサーバ３００に送信して、その位置識別情報に対応するコンテンツの配信を要求する。サーバ３００から配信されたコンテンツは、記憶部２２０のコンテンツ２２２に記憶される。その後、端末装置２００はビーコン装置１００からコンテンツ識別情報を受信すると、記憶部２２０に記憶していたコンテンツ２２２を読み出して出力部２４０に出力する。
【００４８】
ずなわち、この第２の実施の形態では、第１の実施の形態における位置情報に相当する情報として、位置識別情報をビーコン信号に含めて発信し、これに基づいて端末装置２００に予め記憶しておくべきコンテンツを指定する。そのため、位置情報取得部２３０は、ビーコン信号に含まれる識別情報を識別情報テーブル２２１と照合し、その識別情報がコンテンツ識別情報であるか否かを判定する。この第２の実施の形態では、識別情報テーブル２２１にはコンテンツ識別情報が記憶されているため、識別情報テーブル２２１に記憶されていない識別情報は位置識別情報であると判定する。位置識別情報であると判定された場合には、その識別情報は位置情報に相当するものであるとして、サーバ３００に送信される。
【００４９】
図８は、本発明の第２の実施の形態におけるコンテンツ管理テーブル３２０の構成例を示す図である。このコンテンツ管理テーブル３２０は、基本的には第１の実施の形態と同様であり、位置情報（位置識別情報）に対応して、サーバ３００から配信すべきコンテンツの情報を示している。
【００５０】
例えば、端末装置２００から送信された位置識別情報が「Ａ００１」を示している場合には、サーバ３００は「Ｘデパートの緊急避難情報」のコンテンツを端末装置２００に配信する。また、端末装置２００から送信された位置識別情報が「Ａ００２」を示している場合には、「Ｙホテルの火災時避難情報」および「Ｙホテルの地震時避難情報」など複数のコンテンツをまとめて端末装置２００に配信する。
【００５１】
図９は、本発明の第２の実施の形態における識別情報テーブル２２１の構成例を示す図である。この識別情報テーブル２２１は、基本的には第１の実施の形態と同様であり、ビーコン装置１００から受信した識別情報（コンテンツ識別情報）に対応して、出力部２４０から出力すべきコンテンツの情報を示している。
【００５２】
例えば、ビーコン装置１００から受信したコンテンツ識別情報が「Ｂ００１」である場合には、「Ｘデパートの緊急避難情報」を出力部２４０から出力する。また、ビーコン装置１００から受信したコンテンツ識別情報が「Ｃ００１」である場合には、「Ｙホテルの火災時避難情報」を出力部２４０から出力する。また、ビーコン装置１００から受信したコンテンツ識別情報が「Ｃ００２」である場合には、「Ｙホテルの地震時避難情報」を出力部２４０から出力する。
【００５３】
図１０は、本発明の第２の実施の形態の端末装置２００における処理手順例を示す流れ図である。
【００５４】
端末装置２００は、ビーコン装置１００からビーコン信号を受信すると（ステップＳ９２１：Ｙｅｓ）、識別情報テーブル２２１を参照して（ステップＳ９２２）、そのビーコン信号に含まれる識別情報がコンテンツ識別情報に該当するか否かを判定する（ステップＳ９２３）。例えば、端末装置２００は、識別情報テーブル２２１において、出力するコンテンツに関連付けられている識別情報の中に該当するものがなければ、コンテンツ識別情報に該当しないものと判定してもよい。また、端末装置２００は、記憶部２２０内に、受信した識別情報がコンテンツ識別情報に該当するか否かを判定するための情報を格納しておき、識別情報の受信時にこの情報を参照して判定を行うことや、その他の手法を用いてもよい。
【００５５】
コンテンツ識別情報に該当しない場合には（ステップＳ９２３：Ｎｏ）、位置識別情報として扱って、その識別情報をサーバ３００に送信して対応するコンテンツの配信を要求する（ステップＳ９２４）。その結果、サーバ３００からコンテンツを受信した場合には（ステップＳ９２５：Ｙｅｓ）、その受信したコンテンツを記憶部２２０のコンテンツ２２２に格納するとともに、そのコンテンツの出力のトリガとなる識別情報と関連付けて識別情報テーブル２２１に追記する（ステップＳ９２６）。そして、再びビーコン信号の受信態勢に戻る（ステップＳ９２１）。一方、サーバ３００からコンテンツを受信しなかった場合には（ステップＳ９２５：Ｎｏ）、対応するコンテンツが存在しないものとして、再びビーコン信号の受信態勢に戻る（ステップＳ９２１）。
【００５６】
受信したビーコン信号に含まれる識別情報がコンテンツ識別情報に該当する場合には（ステップＳ９２３：Ｙｅｓ）、端末装置２００は、そのコンテンツを出力部２４０に出力する（ステップＳ９２７）。そして、再びビーコン信号の受信態勢に戻る（ステップＳ９２１）。
【００５７】
なお、ビーコン装置１００のビーコン信号の送信の頻度によっては、端末装置２００は、同一の識別情報を含むビーコン信号を何度も受信する場合があるが、端末装置２００は、必ずしも受信の都度、同じ処理を行わなくてもよい。例えば、端末装置２００は、既に受信した位置識別情報であって、対応するコンテンツの受信が記憶部２２０内に格納されているものについては、再度配信を要求しないようにしてもよい。また、端末装置２００は、既に受信したコンテンツ識別情報であって、処理がされているものについては、処理後しばらくの間、新たな処理を行わないようにしてもよい。
【００５８】
ここで、本発明の第２の実施の形態におけるビーコン装置１００の態様について説明する。
【００５９】
図１１は、本発明の第２の実施の形態におけるビーコン装置の第１の例を示す図である。この第１の例では、位置識別情報をビーコン信号に含むビーコン装置＃Ａ（１０１）と、コンテンツ識別情報をビーコン信号に含むビーコン装置＃Ｂ（１０２）とが別々に存在する例を想定する。
【００６０】
すなわち、ビーコン装置＃Ａ（１０１）は、位置識別情報を記憶する位置識別情報記憶部１２１を備え、この位置識別情報記憶部１２１に記憶される位置識別情報を含むビーコン信号を発信する。このビーコン装置＃Ａ（１０１）から発信されるビーコン信号は、コンテンツをダウンロードするトリガとなる。一方、ビーコン装置＃Ｂ（１０２）は、コンテンツ識別情報を記憶するコンテンツ識別情報記憶部１２２を備え、このコンテンツ識別情報記憶部１２２に記憶されるコンテンツ識別情報を含むビーコン信号を発信する。このビーコン装置＃Ｂ（１０２）から発信されるビーコン信号は、コンテンツを出力するトリガとなる。
【００６１】
ビーコン装置＃Ａ（１０１）は、無条件に、位置識別情報を含むビーコン信号を間欠的に発信する。一方、ビーコン装置＃Ｂ（１０２）は、例えば災害検知センサ６００からの通知を条件として、コンテンツ識別情報を含むビーコン信号を発信する。この災害検知センサ６００は、災害を検知するためのセンサであり、災害を検知するとその旨をビーコン装置＃Ｂ（１０２）に通知する。ここでは、通知を生成する通知生成部の一例として災害検知センサ６００を挙げたが、用途に応じて他のセンサや、タイマ、スイッチなどをトリガとしてもよい。例えば、スーパーマーケットの売り場におけるタイムセールの通知などを想定することができる。
【００６２】
図１２は、本発明の第２の実施の形態におけるビーコン装置の第１の配置例を示す図である。この例では、Ｘデパートにおいてビーコン装置＃Ａ（１０１）乃至＃Ｅ（１０５）が配置された例を示している。
【００６３】
ビーコン装置＃Ａ（１０１）はＸデパートの入り口付近に配置されており、Ｘデパートに入店する顧客はこのビーコン装置＃Ａ（１０１）のビーコン信号の受信範囲を通って入店することになる。この入店の際、顧客が携帯する端末装置２００は、ビーコン装置＃Ａ（１０１）から発信されたビーコン信号を受信する。このビーコン信号には位置識別情報が含まれており、端末装置２００はこの位置識別情報をサーバ３００に送信してコンテンツの配信を要求する。これにより、必要なコンテンツが端末装置２００の記憶部２２０にダウンロードされる。
【００６４】
その後、顧客が店内を移動すると、売り場に配置されたビーコン装置＃Ｂ（１０２）乃至＃Ｅ（１０５）のビーコン信号の受信範囲を通る。その際、顧客が携帯する端末装置２００は、ビーコン装置＃Ｂ（１０２）乃至＃Ｅ（１０５）の何れかから発信されたビーコン信号を受信する。このビーコン信号にはコンテンツ識別情報が含まれており、端末装置２００はこのコンテンツ識別情報に対応するコンテンツを記憶部２２０から読み出して出力部２４０に出力する。これにより、Ｘデパートの店内において無線通信の状態が悪化してサーバ３００との無線通信が困難になっても、コンテンツ識別情報に対応するコンテンツを記憶部２２０から読み出すことができるため、コンテンツの出力を行うことができる。
【００６５】
図１３は、本発明の第２の実施の形態におけるビーコン装置の第１の例を用いた場合のシーケンス図である。
【００６６】
ビーコン装置＃Ａ（１０１）は、位置識別情報を含むビーコン信号を間欠的に発信する（ステップＳ８２１）。
【００６７】
端末装置２００は、ビーコン装置＃Ａ（１０１）から発信されたビーコン信号を受信すると、識別情報テーブル２２１を参照してそのビーコン信号に含まれる識別情報がコンテンツ識別情報であるか否かを判別する（ステップＳ８２２）。その結果、コンテンツ識別情報でなければ、位置識別情報であるものとしてサーバ３００に送信する（ステップＳ８２３）。
【００６８】
サーバ３００は、端末装置２００から受信した識別情報を位置識別情報であるものとして、コンテンツ管理テーブル３２０を参照して対応するコンテンツを探す。そして、対応するコンテンツがあれば端末装置２００に送信する（ステップＳ８２５）。
【００６９】
端末装置２００は、サーバ３００からコンテンツを受信すると、その受信したコンテンツを記憶部２２０のコンテンツ２２２に格納するとともに、そのコンテンツの出力のトリガとなる識別情報と関連付けて識別情報テーブル２２１に追記する（ステップＳ８２６）。
【００７０】
その後、災害検知センサ６００からの通知を受けると、ビーコン装置＃Ｂ（１０２）は、コンテンツ識別情報を含むビーコン信号を発信する（ステップＳ８２７）。
【００７１】
端末装置２００は、ビーコン装置＃Ｂ（１０２）からのビーコン信号を受信すると、識別情報テーブル２２１を参照して、そのビーコン信号に含まれる識別情報がコンテンツ識別情報であるか否かを判別する（ステップＳ８２８）。その結果、コンテンツ識別情報であれば、そのコンテンツ識別情報に対応するコンテンツを出力部２４０に出力する（ステップＳ８２９）。
【００７２】
図１４は、本発明の第２の実施の形態におけるビーコン装置の第２の例を示す図である。この第２の例では、位置識別情報をビーコン信号に含むビーコン装置とコンテンツ識別情報をビーコン信号に含むビーコン装置とが同一のビーコン装置１００として構成される例を想定する。
【００７３】
すなわち、この第２の例のビーコン装置１００は、位置識別情報を記憶する位置識別情報記憶部１２１と、コンテンツ識別情報を記憶するコンテンツ識別情報記憶部１２２とを備え、位置識別情報またはコンテンツ識別情報の何れか一方を含むビーコン信号を異なるタイミングで発信する。
【００７４】
例えば、災害時の緊急避難情報を送信するビーコン装置１００を例とすると、通常時は位置識別情報を含むビーコン信号を送信している。そして、災害検知センサ６００が災害を検知すると、その旨をビーコン装置１００に通知する。その通知を受けると、ビーコン装置１００は、コンテンツ識別情報を含むビーコン信号を送信するように切り替える。
【００７５】
また、別の例として、位置識別情報を含むビーコン信号とコンテンツ識別情報を含むビーコン信号とを所定間隔毎に交互に送信するようにしてもよい。この場合、当初、コンテンツのダウンロードに失敗したとしても、その後の通信状況の改善によってコンテンツをダウンロードすることができるという利点がある。
【００７６】
図１５は、本発明の第２の実施の形態におけるビーコン装置の第２の配置例を示す図である。この例では、第１の配置例と同様に、Ｘデパートにおいてビーコン装置＃Ａ（１０１）乃至＃Ｅ（１０５）が配置された例を示している。ただし、この例においては、ビーコン装置の各々は、位置識別情報を含むビーコン信号とコンテンツ識別情報を含むビーコン信号の両者を発信することができるものと想定する。
【００７７】
ビーコン装置＃Ａ（１０１）はＸデパートの入り口付近に配置されており、Ｘデパートに入店する顧客はこのビーコン装置＃Ａ（１０１）のビーコン信号の受信範囲を通って入店することになる。この入店の際、顧客が携帯する端末装置２００は、ビーコン装置＃Ａ（１０１）から発信されたビーコン信号を受信する。このビーコン信号に位置識別情報が含まれている場合、端末装置２００はこの位置識別情報をサーバ３００に送信してコンテンツの配信を要求する。これにより、必要なコンテンツが端末装置２００の記憶部２２０にダウンロードされる。一方、ビーコン信号にコンテンツ識別情報が含まれている場合、端末装置２００は、指定されたコンテンツが記憶部２２０に存在すればそれを出力部２４０に出力する。
【００７８】
その後、顧客が店内を移動すると、売り場に配置されたビーコン装置＃Ｂ（１０２）乃至＃Ｅ（１０５）のビーコン信号の受信範囲を通る。その際、顧客が携帯する端末装置２００は、ビーコン装置＃Ｂ（１０２）乃至＃Ｅ（１０５）の何れかから発信されたビーコン信号を受信する。このビーコン信号にコンテンツ識別情報が含まれていれば、端末装置２００はこのコンテンツ識別情報に対応するコンテンツを記憶部２２０から読み出して出力部２４０に出力する。一方、ビーコン信号に位置識別情報が含まれている場合、端末装置２００はその位置識別情報に対応するコンテンツをサーバ３００に要求するようにしてもよい。
【００７９】
図１６は、本発明の第２の実施の形態におけるビーコン装置の第２の例を用いた場合のシーケンス図である。
【００８０】
この例では、ビーコン装置＃Ａ（１０１）乃至＃Ｅ（１０５）は、平常時には位置識別情報を含むビーコン信号を発信し（ステップＳ８３１）、災害検知センサ６００からの通知を受けるとコンテンツ識別情報を含むビーコン信号を発信するようになるものと想定する（ステップＳ８３７）。
【００８１】
まず、ビーコン装置＃Ａ（１０１）乃至＃Ｅ（１０５）が発信する（ステップＳ８３１）位置識別情報を含むビーコン信号を端末装置２００が受信すると、端末装置２００は識別情報テーブル２２１を参照してそのビーコン信号に含まれる識別情報がコンテンツ識別情報であるか否かを判別する（ステップＳ８３２）。これ以降の端末装置２００におけるコンテンツのダウンロードまでの処理（ステップＳ８３３乃至Ｓ８３６）は、図１３において説明した処理手順（ステップＳ８２３乃至Ｓ８２６）と同様である。
【００８２】
その後、災害検知センサ６００からの通知を受けたビーコン装置＃Ａ（１０１）乃至＃Ｅ（１０５）は、コンテンツ識別情報を含むビーコン信号を発信する（ステップＳ８３７）。
【００８３】
端末装置２００は、ビーコン装置＃Ａ（１０１）乃至＃Ｅ（１０５）から発信されたビーコン信号を受信すると、識別情報テーブル２２１を参照して、そのビーコン信号に含まれる識別情報がコンテンツ識別情報であるか否かを判別する（ステップＳ８３８）。その結果、コンテンツ識別情報であれば、そのコンテンツ識別情報に対応するコンテンツを出力部２４０に出力する（ステップＳ８３９）。
【００８４】
本発明の第２の実施の形態では、端末装置２００はビーコン信号に含まれる位置識別情報に基づいて、その位置識別情報に対応するコンテンツを予めサーバ３００からダウンロードして記憶しておく。その後、端末装置２００がビーコン信号を受信すると、ビーコン信号に含まれるコンテンツ識別情報に対応するコンテンツを出力する。位置識別情報を含むビーコン信号を発信するビーコン装置と、コンテンツ識別情報を含むビーコン信号を発信するビーコン装置とは、同じビーコン装置でもよく、別個のビーコン装置でもよい。このように、本発明の第２の実施の形態では、位置識別情報を含むビーコン信号に基づいてコンテンツを予めサーバ３００からダウンロードしておいて、コンテンツ識別情報を含むビーコン信号を受信した際にそのコンテンツを出力することにより、ＧＰＳの受信状態や無線通信の通信状態にかかわらず必要なコンテンツを出力することができる。
【００８５】
＜第３の実施の形態＞
図１７は、本発明の第３の実施の形態における無線通信システムの全体構成の一例を示す図である。この第３の実施の形態における無線通信システムは、基本的には図１により説明した構成例と同様である。
【００８６】
この第３の実施の形態では、端末装置２００の記憶部２２０に言語指定情報２２３を記憶し、サーバ３００にコンテンツを要求する際に言語指定情報を併せて送信する。この言語指定情報は、「ＪＰ（日本語）」、「ＥＮ（英語）」、「ＦＲ（フランス語）」などの言語を指定するための情報である。
【００８７】
サーバ３００は、言語指定情報に合致する言語によるコンテンツを検索し、または、その言語に翻訳することにより、言語指定情報に合致する言語によるコンテンツを端末装置２００に配信する。
【００８８】
図１８は、本発明の第３の実施の形態におけるコンテンツ管理テーブル３２０の構成例を示す図である。このコンテンツ管理テーブル３２０は、位置情報（ＧＰＳ情報）および言語指定情報に対応して、サーバ３００から配信すべきコンテンツの情報を示している。
【００８９】
例えば、端末装置２００から送信された位置情報が「北緯Ｎ１〜Ｎ２」の範囲内にあり、かつ、「東経Ｅ１〜Ｅ２」の範囲内にある場合には、言語指定情報が「ＪＰ」であればサーバ３００は日本語のコンテンツ「Ｘデパートの緊急避難情報（ＪＰ）」を端末装置２００に配信する。また、この場合において、言語指定情報が「ＥＮ」であればサーバ３００は英語のコンテンツ「Ｘデパートの緊急避難情報（ＥＮ）」を端末装置２００に配信する。また、この場合において、言語指定情報が「ＦＲ」であればサーバ３００はフランス語のコンテンツ「Ｘデパートの緊急避難情報（ＦＲ）」を端末装置２００に配信する。
【００９０】
また、端末装置２００から送信された位置情報が「北緯Ｎ３〜Ｎ４」の範囲内にあり、かつ、「東経Ｅ３〜Ｅ４」の範囲内にある場合には、言語指定情報が「ＪＰ」であればサーバ３００は「Ｙホテルの火災時避難情報（ＪＰ）」および「Ｙホテルの地震時避難情報（ＪＰ）」など複数の日本語のコンテンツをまとめて端末装置２００に配信する。また、この場合において、言語指定情報が「ＥＮ」であればサーバ３００は「Ｙホテルの火災時避難情報（ＥＮ）」および「Ｙホテルの地震時避難情報（ＥＮ）」など複数の英語のコンテンツをまとめて端末装置２００に配信する。
【００９１】
図１９は、本発明の第３の実施の形態における識別情報テーブル２２１の構成例を示す図である。この識別情報テーブル２２１は、ビーコン装置１００から受信した識別情報に対応して、出力部２４０から出力すべきコンテンツの情報を示している。この第３の実施の形態における識別情報テーブル２２１は、図４に示した第１の実施の形態における識別情報テーブル２２１と基本的には同様の内容となっている。
【００９２】
コンテンツがダウンロードされた時点で、言語指定情報に対応する言語のコンテンツのみが配信され、格納されているため、出力時に言語指定情報を参照する必要はない。例えば、言語指定情報が「ＪＰ」である端末装置２００であれば日本語のコンテンツのみが、言語指定情報が「ＥＮ」である端末装置２００であれば英語のコンテンツのみが、それぞれダウンロードおよび格納されるため、受信した識別情報が同じ「Ｂ００１」を示す場合であっても、それぞれ端末装置２００の言語指定情報２２３に応じたコンテンツが出力部２４０に出力される。
【００９３】
図２０は、本発明の第３の実施の形態における無線通信システムの一連の処理例を示すシーケンス図である。
【００９４】
端末装置２００は、ＧＰＳ衛星５００からのＧＰＳ情報を位置情報として取得して、現在の存在位置を測位する（ステップＳ８４２）。そして、その位置情報および言語指定情報２２３をサーバ３００に送信して、その位置情報および言語指定情報に対応するコンテンツの配信を要求する（ステップＳ８４３）。
【００９５】
サーバ３００は、コンテンツ管理テーブル３２０を参照して、端末装置２００から受信した位置情報に対応するコンテンツをコンテンツ３１０から読み出して、そのコンテンツを言語指定情報に従って翻訳する（ステップＳ８４４）。そして、サーバ３００は、その翻訳されたコンテンツを端末装置２００に配信する（ステップＳ８４５）。
【００９６】
端末装置２００は、サーバ３００からコンテンツを受信すると、その受信したコンテンツを記憶部２２０のコンテンツ２２２に格納するとともに、そのコンテンツの出力のトリガとなる識別情報と関連付けて識別情報テーブル２２１に追記する（ステップＳ８４６）。
【００９７】
ビーコン装置１００は、識別情報を含むビーコン信号を間欠的に発信する（ステップＳ８４７）。端末装置２００が、ビーコン信号の受信領域内に入ってビーコン信号を受信すると、識別情報テーブル２２１を参照して、その識別情報に対応するコンテンツを出力部２４０に出力する（ステップＳ８４９）。
【００９８】
なお、この例では、サーバ３００が言語指定情報に従ってコンテンツの翻訳を行うことを想定したが、予め言語毎のコンテンツをコンテンツ３１０として格納している場合には、コンテンツ管理テーブル３２０に従って該当するコンテンツを配信してもよい。また、コンテンツ管理テーブル３２０に該当する言語のコンテンツがない場合に、他の言語から翻訳するようにしてもよい。同様に、端末装置２００のサーバ通信部２６０は、言語指定情報に該当するコンテンツが存在する場合であっても他の言語から翻訳するように要求してもよく、また、言語指定情報に該当するコンテンツが既に存在する場合には翻訳することなく言語指定情報に該当するコンテンツを配信するように要求してもよい。
【００９９】
また、この第３の実施の形態では、位置情報取得部２３０が位置情報としてＧＰＳ情報を利用することを想定したが、第２の実施の形態のようにビーコン信号を利用する構成であってもよい。
【０１００】
このように、本発明の第３の実施の形態によれば、言語指定情報に対応するコンテンツを予めサーバ３００からダウンロードしておいて、ビーコン信号を受信した際にそのコンテンツを出力することにより、無線通信の通信状態にかかわらず指定された言語によるコンテンツを出力することができる。
【０１０１】
なお、上述の実施の形態は本発明を具現化するための一例を示したものであり、実施の形態における事項と、特許請求の範囲における発明特定事項とはそれぞれ対応関係を有する。同様に、特許請求の範囲における発明特定事項と、これと同一名称を付した本発明の実施の形態における事項とはそれぞれ対応関係を有する。ただし、本発明は実施の形態に限定されるものではなく、その要旨を逸脱しない範囲において実施の形態に種々の変形を施すことにより具現化することができる。
【０１０２】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【符号の説明】
【０１０３】
１００  ビーコン装置
１２１、１２２  識別情報記憶部
２００  端末装置
２２０  記憶部
２２１  識別情報テーブル
２２２  コンテンツ
２２３  言語指定情報
２３０  位置情報取得部
２４０  出力部
２５０  ビーコン受信部
２６０  サーバ通信部
２９０  バス
３００  サーバ
３１０  コンテンツ
３２０  コンテンツ管理テーブル
５００  ＧＰＳ衛星
６００  災害検知センサ
【図１】
2017028380.tif 000003
【図２】
2017028380.tif 000004
【図３】
2017028380.tif 000005
【図４】
2017028380.tif 000006
【図５】
2017028380.tif 000007
【図６】
2017028380.tif 000008
【図７】
2017028380.tif 000009
【図８】
2017028380.tif 000010
【図９】
2017028380.tif 000011
【図１０】
2017028380.tif 000012
【図１１】
2017028380.tif 000013
【図１２】
2017028380.tif 000014
【図１３】
2017028380.tif 000015
【図１４】
2017028380.tif 000016
【図１５】
2017028380.tif 000017
【図１６】
2017028380.tif 000018
【図１７】
2017028380.tif 000019
【図１８】
2017028380.tif 000020
【図１９】
2017028380.tif 000021
【図２０】
2017028380.tif 000022